(57)【要約】【課題】省スペースであり、原水を貯留する部位を大型化することができ、且つ、持ちやすい液体格納容器を提供する。【解決手段】液体格納容器の胴部の側面には指掛部２３が設けられており、注ぎ口は、胴部の側面のうち指掛部２３が設けられた側面と交差する側面に設けられており、指掛部２３は、互いに接続する第一指掛部２５と第二指掛部２７とを備えており、接続する位置の第一指掛部２５の外縁の法線ベクトルａと、第二指掛部２７の外縁の法線ベクトルｂとは異なり、指掛部２３は原水貯留部６５ａより下にある。【選択図】図４
2017127829.tif 000002
【特許請求の範囲】
【請求項１】
胴部、及び当該胴部の上方に形成された注ぎ口を有し、
前記胴部の側面のうち少なくとも一つの側面には主指掛部が設けられており、
前記主指掛部は、
前記主指掛部が設けられた側面の一部が前記胴部の内方へ凹んでなる凹部を有する第一指掛部と、
前記第一指掛部に連続して設けられている第二指掛部と、
格納する水を浄化するための浄水カートリッジを保持する保持部及び保持部より前記注ぎ口側に浄化する前の原水を貯留する原水貯留部を有するホルダーと、
を備え、
前記第一指掛部及び前記第二指掛部の、前記第二指掛部に接続している位置の前記第一指掛部の外縁の法線ベクトルと、前記第一指掛部に接続している位置の前記第二指掛部の外縁の法線ベクトルとが異なっており、
前記主指掛部の上端は、前記原水貯留部の底より、胴部の底側に位置する、液体格納容器。
【請求項２】
前記主指掛部は、前記胴部の対向する両側面に設けられている、請求項１に記載の液体格納容器。
【請求項３】
前記主指掛部は曲面を有している、請求項１又は２に記載の液体格納容器。
【請求項４】
前記曲面の曲率は１６．７以上、６０以下である、請求項３に記載の液体格納容器。
【請求項５】
格納された水を浄化するための浄水カートリッジを保持するホルダーを備える、請求項１〜４のいずれか１項に記載の液体格納容器。
【請求項６】
前記第二指掛部の表面は平らな面である、請求項１〜５のいずれか１項に記載の液体格納容器。
【請求項７】
第二指掛部の前記第一指掛部とは反対側の前記側面との接続する位置において、前記第二指掛部に接続している位置の前記側面の法線ベクトルと、前記側面に接続している位置の前記第二指掛部の法線ベクトルとが異なっている、請求項１〜６のいずれか１項に記載の液体格納容器。
【請求項８】
請求項５に記載の液体格納容器と、
前記液体格納容器の蓋と、
前記ホルダーに保持された浄水カートリッジと
を備えた、浄水器。
【請求項９】
胴部、及び当該胴部の上方に形成された注ぎ口を有し、
前記胴部の側面のうち少なくとも一つの側面には主指掛部が設けられており、
前記注ぎ口は、前記胴部の側面のうち前記主指掛部が設けられている側面と交差する一つの側面に設けられており、
前記主指掛部は、
前記主指掛部が設けられた側面の一部が前記胴部の内方へ凹んでなる凹部を有する第一指掛部と、
前記第一指掛部に連続して設けられており、前記注ぎ口から見て前記第一指掛部とは反対側であり、且つ、前記注ぎ口が設けられた側面より当該側面に対抗する側面に近い側に、第二指掛部とを備え、
前記第一指掛部及び前記第二指掛部の、前記第二指掛部に接続している位置の前記第一指掛部の外縁の法線ベクトルと、前記第一指掛部に接続している位置の前記第二指掛部の外縁の法線ベクトルとが異なっており、
第二指掛部の前記第一指掛部とは反対側の前記側面との接続する位置において、前記第二指掛部に接続している位置の前記側面の法線ベクトルと、前記側面に接続している位置の前記第二指掛部の法線ベクトルとが異なっている、液体格納容器。
【発明の詳細な説明】
【技術分野】
【０００１】
本発明は、例えば、水などの液体を格納するための液体格納容器に関する。
【背景技術】
【０００２】
浄水機能付きのポット及びピッチャーなどの、水などの液体を格納するための液体格納容器が知られている。従来、このような液体格納容器には、液体格納容器を安定して保持できるように、液体を格納する胴部に対して持ち手が取り付けられている。このような浄水機能付きのポット（ポット型浄水器又はピッチャー型浄水器）としては、例えば、特許文献１及び２が挙げられる。
【先行技術文献】
【特許文献】
【０００３】
【特許文献１】特開２０１４−１４７８９９号公報
【特許文献２】特開２０１１−８３６８０号公報
【発明の概要】
【発明が解決しようとする課題】
【０００４】
特許文献１の浄水器は、原水容器と取っ手が同じ高さにあるため、浄水器全体を小型化しようとすると、取っ手を小型化するか、原水容器を小さくする必要がある。しかし、取っ手を小型化すると把持し難くなり、また、原水容器を小さくすると１回当たりの原水処理量が低くなる。
【０００５】
特許文献２の浄水装置も、同様に把持する凹部と原水室の鉛直方向の位置に重複している箇所があるため、特許文献１と同様の問題を有する。
【０００６】
以上の問題を解決するためには、容器の胴部に凹部を設けることで持ち手を設け、且つ、持ち手と原水を貯留する部位との高さをずらす必要がある。原水を貯留する部位は原水を注ぐために容器の上部に設ける必要があるため、持ち手は容器の下部に設けることとなる。
【０００７】
しかし、持ち手を容器の下部に設けると、格納されている液体を外部に注ぐために傾ける際に、持っている箇所から注ぎ口までの距離が長いため、使用者の手により大きな力がかかることとなる。
【０００８】
本発明は、前記の問題点に鑑みて使用者が持ったときの手の形や大きさに合うように、
持ちやすさを鋭意検討した結果なされたものであり、その目的は、省スペースであり、原水を貯留する部位を大型化することができ、且つ、持ちやすい液体格納容器を提供することにある。また、省スペースであり、浄水カートリッジを搭載する液体格納容器として好適であり、且つ持ちやすい液体格納容器を提供することにある。
【課題を解決するための手段】
【０００９】
本発明に係る液体格納容器の一つは、上記課題を解決するために、胴部、及び当該胴部の上方に形成された注ぎ口を有し、前記胴部の側面のうち少なくとも一つの側面には主指掛部が設けられており、前記主指掛部は、前記主指掛部が設けられた側面の一部が前記胴部の内方へ凹んでなる凹部を有する第一指掛部と、前記第一指掛部に連続して設けられている第二指掛部と、格納する水を浄化するための浄水カートリッジを保持する保持部及び保持部より前記注ぎ口側に浄化する前の原水を貯留する原水貯留部を有するホルダーと、を備え、前記第一指掛部及び前記第二指掛部の、前記第二指掛部に接続している位置の前記第一指掛部の外縁の法線ベクトルと、前記第一指掛部に接続している位置の前記第二指掛部の外縁の法線ベクトルとが異なっており、前記主指掛部の上端は、前記原水貯留部の底より、胴部の底側に位置する。
【００１０】
また、本発明に係る液体格納容器の一つは、胴部、及び当該胴部の上方に形成された注ぎ口を有し、前記胴部の側面のうち少なくとも一つの側面には主指掛部が設けられており、前記注ぎ口は、前記胴部の側面のうち前記主指掛部が設けられている側面と交差する一つの側面に設けられており、前記主指掛部は、前記主指掛部が設けられた側面の一部が前記胴部の内方へ凹んでなる凹部を有する第一指掛部と、前記第一指掛部に連続して設けられており、前記注ぎ口から見て前記第一指掛部とは反対側であり、且つ、前記注ぎ口が設けられた側面より当該側面に対抗する側面に近い側に、第二指掛部とを備え、前記第一指掛部及び前記第二指掛部の、前記第二指掛部に接続している位置の前記第一指掛部の外縁の法線ベクトルと、前記第一指掛部に接続している位置の前記第二指掛部の外縁の法線ベクトルとが異なっており、第二指掛部の前記第一指掛部とは反対側の前記側面との接続する位置において、前記第二指掛部に接続している位置の前記側面の法線ベクトルと、前記側面に接続している位置の前記第二指掛部の法線ベクトルとが異なっている。
【発明の効果】
【００１１】
本発明によれば、省スペースであり、原水を貯留する部位を大型化することができ、且つ、持ちやすい液体格納容器を提供できる。また、省スペースであり、浄水カートリッジを搭載する液体格納容器として好適であり、且つ持ちやすい液体格納容器を提供できる。
【図面の簡単な説明】
【００１２】
【図１】本発明の実施形態１に係る液体格納容器の構成を示す斜視図である。
【図２】図１に対応した図であって、本発明の実施形態１に係る液体格納容器の構成を示す正面図である。
【図３】図２に示したＩＩＩ−ＩＩＩ線方向の液体格納容器の断面図である。
【図４】図３に示したＩＶ部分の拡大図である。
【図５】図３に示したＶ部分の拡大図である。
【図６】本発明の実施形態１に係る浄水器の構成を示す図である。
【発明を実施するための形態】
【００１３】
以下、本発明に係る液体格納容器の一実施形態について、図１〜図５を用いて詳細に説明する。図１は、本実施形態に係る液体格納容器１の構成を示す斜視図である。図２は、図１に対応した図であって、液体格納容器１の構成を示す正面図である。
【００１４】
〔液体格納容器１の構成〕
図１及び図２に示すように、液体格納容器１は、水を格納する容器状の胴部１１と、胴部１１の一つの側面に上方に形成された注ぎ口２２とを有する。液体格納容器１は、胴部１１を傾けると注ぎ口２から水を外部に注ぐことができる構成である。
【００１５】
胴部１１は、第一の側面２１、第二の側面３１、第三の側面５１、及び第四の側面５２を有している。
【００１６】
第一の側面２１には、第一の側面２１の一部が胴部１１の内方へ凹んでなる第一の主指掛部２３が設けられている。第一の主指掛部２３は、第一の側面２１の一部が胴部１１の内方へ凹んでなる凹部を有する第一指掛部２５と、第一指掛部２５に連続して設けられ、且つ、注ぎ口１２から見て第一指掛部２５の凹部とは反対側に設けられている第二指掛部とを備えている。
【００１７】
第二の側面３１は、胴部１１において第一の側面２１に対向している。第二の側面３１には、第二の側面３１の一部が胴部１１の内方へ凹んでなる第二の主指掛部（図１及び図２では図示せず）が設けられている。第二の主指掛部は、第二の側面３１の一部が胴部１１の内方へ凹んでなる凹部を有する第三指掛部と、第三指掛部に連続して設けられ、且つ、注ぎ口１２から見て第三指掛部の凹部とは反対側に設けられている第四指掛部（図１及び図２では第三指掛部及び第四指掛部は図示せず）とを備えている。
【００１８】
注ぎ口１２には、注ぎ口１２の先端から下方に向かうに伴い、液体格納容器１の内方側に向かって傾斜が設けられている。本実施形態では、注ぎ口１２の内壁もこの傾斜に沿った形状となっており、水を注ぐとき、液体格納容器１に格納された水は、この傾斜に沿って注ぎ口１２まで円滑に移動できるように構成されている。
【００１９】
なお、特に断りのない限り、「上」、「下」という場合には、液体格納容器１を直立させたときの位置を意味する。
【００２０】
第三の側面５１は、第一の側面２１及び第二の側面３１のそれぞれの一方端側と交差するように設けられている。第三の側面５１の上方に、前述した注ぎ口１２が設けられている。
【００２１】
第四の側面５２は、第一の側面２１及び第二の側面３１のそれぞれの他方端側と交差するように設けられている。また、第四の側面５２は、胴部１１において第三の側面５１に対向している。
【００２２】
さらに、液体格納容器１は、胴部１１に格納された水を浄化するための浄水カートリッジ（図示せず）を保持するホルダー６５を備えている。
【００２３】
ホルダー６５は原水貯留部６５ａ及び浄水カートリッジ保持部（保持部）６５ｂを備えている。浄水カートリッジは、浄水カートリッジ保持部６５ｂに、着脱自在に備え付けられる。
【００２４】
原水貯留部６５ａは、浄水する対象の原水を貯留する部位である。原水貯留部６５ａの底は、後述する第一の主指掛部２３及び第二の主指掛部３３より上の位置にある。これにより、液体格納容器１を小型化するために胴部１１に凹部を形成して持ち手を設けつつも、原水貯留部６５ａを大型化することができる。このように、原水貯留部６５ａの容積を犠牲にすることがないことから、１回の原水処理量をより多くすることができる。
【００２５】
浄水カートリッジ保持部６５ｂは、原水貯留部６５ａに貯留された原水を処理する水処理材を収容した浄水カートリッジを保持する部位である。水処理材としては、活性炭、中空糸膜、イオン交換樹脂等が代表的に挙げられるが、目的に応じて適宜選択される。
【００２６】
浄水カートリッジ保持部６５ｂは、例えば図示しない浄水カートリッジを保持する構造を有している。本発明において、この構造は特に限定されないが、次のような構造を例示できる。つまり、浄水カートリッジ保持部６５ｂは筒状形状の構造を有しており、図示しない円柱状の浄水カートリッジを保持するように、当該浄水カートリッジの長さ方向に垂直な方向の断面形状の輪郭と、筒状形状の内側の輪郭とが同じ大きさになっていたり、浄水カートリッジにあらかじめ設けられた爪、凸状構造等に係合する穴、溝、凹部を当該筒状形状の部位の内側に有していたりする。
【００２７】
（第一の主指掛部）
次に、図３〜図５を用いて、上記した第一の主指掛部２３及び第二の主指掛部について、より具体的に説明する。図３は、図２に示したＩＩＩ−ＩＩＩ線方向の液体格納容器の断面図である。図４は、図３に示したＩＶ部分拡大図である。図５は、図３に示したＶ部分拡大図である。
【００２８】
図３に示すように、第一の主指掛部２３は、上記の第一指掛部２５及び第二指掛部２７を有している。第一指掛部２５は曲面を有しており、この曲面は、液体格納容器１を直立させたときにおける水平方向の断面（以下、単に「断面」という。）が、図３に示すようにＵ字形状である。また、第二指掛部２７は、第三の側面５１よりも第四の側面５２に近い側に設けられている。これにより、使用者は第四の側面５２側から液体格納容器１を掴み易くなる。
【００２９】
なお、本発明に係る液状格納容器の第一指掛部の形状は本実施形態のような一つの曲面に限定されず、側面の一部が凹んでいればよい。従って、一つ又は複数の面が接続しており、その一部、又は全部が平らであっても曲面であってもよい。ただし、本実施形態のように一つの曲面で形成することは、成型がしやすく、持ちやすいことから好ましい。
【００３０】
また、本実施形態では、第一指掛部２５の曲面の曲率は特に限定されないが、第一指掛部２５の曲率は、使用者が持ちやすいという理由から、１６．７以上、６０以下であることが好ましい。換言すれば、液体格納容器１が直立させたときの水平方向の、第一指掛部２５の円弧半径は２０以上、６０以下が好ましい。
【００３１】
また、図４に示すように、上述した断面において、第二指掛部２７に接続している位置である点Ｐにおける、第一指掛部２５の外縁の法線ベクトルを「ａ」、第二指掛部２７の外縁の法線ベクトルを「ｂ１」とすると、ベクトルａとベクトルｂ１とは異なっている。このような形状とすることで点Ｐに指が引っ掛かり易い角ができるため、持ちやすくなる。ベクトルａとベクトルｂ１とは異なっていればよいが、ベクトルａとベクトルｂ１との角度は２０°以上であることが好ましく、また、４０°以下であることが好ましい。例えば本実施形態では２９．３°である。
【００３２】
このように、原水貯留部６５ａの底よりも第一指掛部２５を含む第一の主指掛部２３の全てが下側、つまり、胴部１１の底側に位置するにもかかわらず、第一指掛部２５と第二指掛部２７との接続される位置において、それぞれの法線ベクトルが異なることにより、使用者が持ちやすいという効果が得られる。法線ベクトルが異なることにより、当該位置において使用者の指が引っかかり易いからである。従って、液体を外部に注ぐ際に持ち手から注ぎ口までの距離が長くなり、使用者の指に加わる力が増えるにも関わらず、持ちやすい。
【００３３】
さらに、原水貯留部６５ａは、凹部である第一指掛部２５より上側に位置するので、凹部の位置に浸食されない。つまり、原水貯留部６５ａを大型化することができる。
【００３４】
このように、本発明によれば、液体格納容器の胴部に凹部を形成して持ち手を設けることによって、容器全体を小型化できると共に、原水貯留部を大きくすることができ、且つ、持ちやすくすることができる。従って、例えば冷蔵庫のドアの内ポケット等に収納可能な浄水カートリッジ付きポット等として好適に利用できる。
【００３５】
なお、本発明において、第一指掛部及び第二指掛部の関係を特定する法線ベクトルの「法線」は、第一指掛部を形成する平らな面若しくは曲面の接平面と、又は、第二指掛部の平らな面若しくは曲面の接平面に直交する直線（平らな面の場合は垂線ともいってもよい）を意図するが、本実施形態では説明の簡単のため、断面における外縁の接線に直交する直線を用いて説明する。
【００３６】
また、上記の断面において、第二指掛部２７の外縁は直線である。つまり、第二指掛部２７は平らな面である。本発明に係る液体格納容器が有する第二指掛部は本実施形態のような一つの平らな面でなくてもよい。第二指掛部は、一つの面でもよく、複数の面が接続してもよく、その一部又は全部が平らでもよく、曲面でもよい。本実施形態のように平らな面とすることで、指をより引っかかり易くすることができ、また、点Ｐ、後述の点Ｑに相当する位置に角を形成し易くなる。
【００３７】
また、上記の断面において、第二指掛部２７の第一指掛部２５とは反対側の第一の側面２１に接続している位置である点Ｑにおける、第二指掛部２７の外縁の法線ベクトルを「ｂ２」、第一の側面２１の外縁の法線ベクトルを「ｃ」とすると、ベクトルｂ２とベクトルｃとは異なっている。このような形状とすることで点Ｑに指が引っ掛かり易い角ができるため、持ちやすくなる。ベクトルｂ２とベクトルｃとは異なっていればよいが、ベクトルｂ２とベクトルｃとの角度は２０°以上であることが好ましく、また、４０°以下であることが好ましい。例えば、本実施形態では２９．４°である。
【００３８】
このような構成の第一の主指掛部２３を有することで、使用者は、第一の主指掛部２３に指をより引っ掛け易くなる。上述した点Ｐのみならず、点Ｑにおいても使用者の指が引っかかり易くなるからである。したがって使用者は、液体格納容器１の第一の主指掛部２３を利用して、液体格納容器１を安定して保持することができる。特に夏場等は、冷蔵庫から出すと液体格納容器１全体に結露が付き滑りやすくなることから、より好適である。
【００３９】
また、本実施形態に係る液体格納容器１によれば、持ち手を胴部に凹部を形成することで設けることができるため省スペースである。
【００４０】
（第二の主指掛部）
図３に示すように、第二の主指掛部３３は、第三指掛部３５及び第四指掛部３７を有している。第三指掛部３５は曲面を有しており、この曲面は、上述した断面が、図３に示すようにＵ字形状である。なお、第三指掛部３５は、本発明における第一指掛部の一実施形態であり、第四指掛部３７は本発明における第二指掛部の一実施形態であるが、第一指掛部２５、第二指掛部２７との区別を簡単にするために、本実施形態では、「第三指掛部」、「第四指掛部」と称している。
【００４１】
また、第三指掛部３５の曲面の曲率は特に限定されないが、第三指掛部３５の曲率は使用者が持ちやすいという理由から、１６．７以上、６０以下であることが好ましい。換言すれば、液体格納容器１が直立させたときの水平方向の、第三指掛部３５の円弧半径は２０以上、６０以下が好ましい。
【００４２】
また、図５に示すように、上述した断面において、第四指掛部３７に接続している位置である点Ｒにおける、第三指掛部３５の外縁の接線の法線ベクトルを「ｄ」、第四指掛部３７の外縁の接線の法線ベクトルを「ｅ１」とすると、ベクトルｄとベクトルｅ１とは異なっている。このような形状とすることで点Ｒに指が引っ掛かり易い角ができるため、持ちやすくなる。ベクトルｄとベクトルｅ１とは異なっていればよいが、ベクトルｄとベクトルｅ１との角度は２０°以上であることが好ましく、また、４０°以下であることが好ましい。例えば本実施形態では２９．３°である。
【００４３】
このように、上述の第一の主指掛部２３と同様の構成を第一の主指掛部２３とは対抗する面にも設けることによって、使用者がより持ちやすくなる。また、第一の主指掛部２３と同様の構成であるので、液体格納容器１全体を小型化したうえで、原水貯留部６５ａを大型化することができる。
【００４４】
また、上記の断面において、第四指掛部３７の外縁は直線である。つまり、第四指掛部３７は平らな面である。本発明における第三指掛部は平らな面でなくてもよく、曲面でもよいが、本実施形態のように平らな面とすることで、指をより引っかかり易くすることができ、また、点Ｒ、後述の点Ｓに相当する位置に角を形成し易くなる。
【００４５】
また、上記の断面において、第四指掛部３７の第三指掛部３５とは反対側の第二の側面３１に接続している位置である点Ｓにおける、第四指掛部３７の外縁の法線ベクトルを「ｅ２」、第二の側面３１の外縁の法線ベクトルを「ｆ」とすると、ベクトルｅ２とベクトルｆとは異なっている。このような形状とすることで点Ｓに指が引っ掛かり易い角ができるため、持ちやすくなる。ベクトルｅ２とベクトルｆとは異なっていればよいが、ベクトルｅ２とベクトルｆとの角度は２０°以上であることが好ましく、また、４０°以下であることが好ましい。例えば本実施形態では２９．４°である。
【００４６】
このように、上述の第一の主指掛部２３と同様に、指の引っかかり易い場所が２か所設けられた第二の主指掛部３３を有することで、使用者は、液体格納容器１をより安定して保持することができる。
【００４７】
また、第一の主指掛部２３と第二の主指掛部３３とは、同様の構造、つまり、線対称の構造である。このような構造であることにより右手でも左手でも持ちやすい。
【００４８】
なお、以上の実施形態では、第一の主指掛部２３及び第二の主指掛部３３の２つの主指掛部を備える液体格納容器１について説明したが、本発明に係る液体格納容器はこのような形態には限定されない。液体格納容器は１つの指掛部を有する構成としてもよい。
【００４９】
また、以上の実施形態では、第一の主指掛部２３及び第二の主指掛部３３は、それぞれ第一の側面２１及び第二の側面３１において特定形状を有しているが、本発明に係る主指掛部の形状はこのような形態には限定されない。
【００５０】
さらに、以上の実施形態では、ホルダー６５を備える液体格納容器１について説明したが、本発明に係る液体格納容器の一つは、ホルダーを備えない構成としてもよい。
【００５１】
また、図６に示すように、液体格納容器１は、浄水カートリッジ保持部６５ｂに浄水カートリッジを嵌め込み、胴部１１に蓋６６を装着することにより、自重濾過型の浄水器として使用され得る。すなわち、このような浄水器も、本発明に含まれる。浄水器として使用する場合は、液体格納容器１は、浄水カートリッジよって処理された処理水を貯留する、処理水貯留容器となる。
【００５２】
〔付記事項〕
以上のように、本発明に係る液体格納容器では、主指掛部は、胴部の対向する両側面に設けられていることがより好ましい。
【００５３】
本発明に係る液体格納容器では、第一指掛部及び第三指掛部は、それぞれ曲面を有していることがより好ましい。
【００５４】
本発明に係る液体格納容器では、前記曲面の曲率は１６．７以上、６０以下であることがより好ましい。
【００５５】
本発明に係る液体格納容器は、格納された水を浄化するための浄水カートリッジを保持するホルダーを備えることがより好ましい。また、当該液体格納容器と、その蓋と、前記ホルダーに保持された浄水カートリッジとを備えた浄水器も、本発明に含まれる。浄水器として使用する場合は、液体格納容器１は、浄水カートリッジよって処理された処理水を貯留する、処理水貯留容器となる。
【００５６】
本発明に係る液体格納容器では、前記第二指掛部の表面は平らな面であることがより好ましい。
【００５７】
本発明に係る液体格納容器では、第二指掛部の第一指掛部とは反対側の側面との接続する位置において、第二指掛部に接続している位置の側面の外縁の法線ベクトルと、この側面に接続している位置の第二指掛部の外縁の接線の法線ベクトルとが異なっていることがより好ましい。
【産業上の利用可能性】
【００５８】
本発明は、浄水カートリッジ付きのポット、ピッチャー等の液体格納容器として利用することができる。
【符号の説明】
【００５９】
１    液体格納容器
１２    注ぎ口
２１    第一の側面
２３    第一の主指掛部
２５    第一指掛部
２７    第二指掛部
３１    第二の側面
３３  第二の主指掛部
３５  第三指掛部
３７  第四指掛部
５１    第三の側面
５２    第四の側面
６５    ホルダー
６５ａ  原水貯留部
６５ｂ  浄水カートリッジ保持部（保持部）
６６    蓋
【図１】
2017127829.tif 000003
【図２】
2017127829.tif 000004
【図３】
2017127829.tif 000005
【図４】
2017127829.tif 000006
【図５】
2017127829.tif 000007
【図６】
2017127829.tif 000008